(57)【要約】【課題】ＩＣＣプロファイルは属性情報として「光沢あり／艶なし」のおおまかな光沢情報を含むが、この情報は有効に利用されていない。【解決手段】ターゲットプロファイルの光沢情報が「光沢あり」の場合は（Ｓ１１）、給紙カセットに光沢紙が収容されていれば（Ｓ１３）、光沢モードで、色変換を行い、画像を形成する（Ｓ１４）。【選択図】　　図１０
2004037525.tif 000002
【特許請求の範囲】
【請求項１】
デバイスに固有の色空間とデバイスに依存しない色空間との間の色変換に関する情報を記述したプロファイルに基づき色変換を行う画像処理装置であって、
前記プロファイルに記述された光沢情報を取得する取得手段と、
前記光沢情報と、設定された画像形成モードとの比較結果に基づき、画像形成を制御する制御手段とを有することを特徴とする画像処理装置。
【請求項２】
デバイスに固有の色空間とデバイスに依存しない色空間との間の色変換に関する情報を記述したプロファイルに基づき色変換を行う画像処理装置であって、
前記プロファイルに記述された光沢情報を取得する取得手段と、
画像形成に使用可能な記録媒体の種類を検知する検知手段と、
前記光沢情報および前記記録媒体の種類に基づき、画像形成に使用する記録媒体および画像形成モードを決定し、画像形成を制御する制御手段とを有することを特徴とする画像処理装置。
【請求項３】
前記制御手段は、前記光沢情報が光沢ありを示し、前記記録媒体の種類が光沢紙を示す場合、前記画像形成モードとして光沢モードを設定することを特徴とする請求項２に記載された画像処理装置。
【請求項４】
前記制御手段は、前記光沢情報が光沢ありを示し、前記記録媒体の種類が非光沢紙を示す場合、光沢度が最も高い記録媒体を選択し、光沢度が向上する定着条件で画像形成を行わせることを特徴とする請求項２に記載された画像処理装置。
【請求項５】
デバイスに固有の色空間とデバイスに依存しない色空間との間の色変換に関する情報を記述したプロファイルに基づき色変換を行う画像処理装置であって、
前記デバイスに固有の色空間から前記デバイスに依存しない色空間への色変換に関するプロファイルに記述されたターゲットの光沢度情報、並びに、前記デバイスに依存しない色空間から前記デバイスに固有の色空間への色変換に関するプロファイルに記述されたディスティネーションの光沢度情報を取得する取得手段と、
前記ターゲットおよびディスティネーションの光沢度情報の比較結果に基づき、画像形成に使用する記録媒体および画像形成モードを決定し、画像形成を制御する制御手段とを有することを特徴とする画像処理装置。
【請求項６】
デバイスに固有の色空間とデバイスに依存しない色空間との間の色変換に関する情報を記述したプロファイルに基づき色変換を行う画像処理装置であって、
前記デバイスに固有の色空間から前記デバイスに依存しない色空間への色変換に関するプロファイルに記述されたターゲットの光沢度情報を取得する取得手段と、
画像形成に使用可能な記録媒体の光沢度を検出する検出手段と、
前記ターゲットの光沢度情報および前記記録媒体の光沢度の比較結果に基づき、画像形成に使用する記録媒体、画像形成モードおよびディスティネーションプロファイルを決定し、画像形成を制御する制御手段とを有することを特徴とする画像処理装置。
【請求項７】
前記光沢度情報はプライベートタグに記述されていることを特徴とする請求項５または請求項６に記載された画像処理装置。
【請求項８】
デバイスに固有の色空間とデバイスに依存しない色空間との間の色変換に関する情報を記述したプロファイルに基づき色変換を行う画像処理装置であって、
前記プロファイルが格納されるメモリと、
前記メモリへ格納すべきプロファイルの光沢条件の記述を判定して、その判定結果に基づきプロファイルの格納を制御する制御手段とを有することを特徴とする画像処理装置。
【請求項９】
前記制御手段は、光沢モード用のプロファイルの格納が指示された場合、前記光沢条件の記述が光沢ありを示す場合はそのプロファイルを前記メモリに格納し、前記光沢条件の記述が艶消しを示す場合はそのプロファイルを破棄することを特徴とする請求項８に記載された画像処理装置。
【請求項１０】
前記制御手段は、光沢モード用のプロファイルの格納が指示された場合、前記光沢条件の記述がない場合は、光沢紙を用いて作成されたプロファイルか否かを問うメッセージを表示することを特徴とする請求項８に記載された画像処理装置。
【請求項１１】
前記制御手段は、前記光沢紙を用いて作成されたプロファイルであることを示すレスポンスが得られると、そのプロファイルに前記光沢条件として光沢ありを示す記述を追加して、前記メモリに格納することを特徴とする請求項１０に記載された画像処理装置。
【請求項１２】
デバイスに固有の色空間とデバイスに依存しない色空間との間の色変換に関する情報を記述したプロファイルに基づき色変換を行う画像処理装置の制御方法であって、
前記プロファイルに記述された光沢情報を取得し、
前記光沢情報と、設定された画像形成モードとの比較結果に基づき、画像形成を制御することを特徴とする制御方法。
【請求項１３】
デバイスに固有の色空間とデバイスに依存しない色空間との間の色変換に関する情報を記述したプロファイルに基づき色変換を行う画像処理装置の制御方法であって、
前記プロファイルに記述された光沢情報を取得し、
画像形成に使用可能な記録媒体の種類を検知し、
前記光沢情報および前記記録媒体の種類に基づき、画像形成に使用する記録媒体および画像形成モードを決定し、画像形成を制御することを特徴とする制御方法。
【請求項１４】
デバイスに固有の色空間とデバイスに依存しない色空間との間の色変換に関する情報を記述したプロファイルに基づき色変換を行う画像処理装置の制御方法であって、
前記デバイスに固有の色空間から前記デバイスに依存しない色空間への色変換に関するプロファイルに記述されたターゲットの光沢度情報、並びに、前記デバイスに依存しない色空間から前記デバイスに固有の色空間への色変換に関するプロファイルに記述されたディスティネーションの光沢度情報を取得し、
前記ターゲットおよびディスティネーションの光沢度情報の比較結果に基づき、画像形成に使用する記録媒体および画像形成モードを決定し、画像形成を制御することを特徴とする制御方法。
【請求項１５】
デバイスに固有の色空間とデバイスに依存しない色空間との間の色変換に関する情報を記述したプロファイルに基づき色変換を行う画像処理装置の制御方法であって、
前記デバイスに固有の色空間から前記デバイスに依存しない色空間への色変換に関するプロファイルに記述されたターゲットの光沢度情報を取得し、
画像形成に使用可能な記録媒体の光沢度を検出し、
前記ターゲットの光沢度情報および前記記録媒体の光沢度の比較結果に基づき、画像形成に使用する記録媒体、画像形成モードおよびディスティネーションプロファイルを決定し、画像形成を制御することを特徴とする制御方法。
【請求項１６】
デバイスに固有の色空間とデバイスに依存しない色空間との間の色変換に関する情報を記述したプロファイルに基づき色変換を行う画像処理装置の制御方法であって、
前記プロファイルが格納されるメモリへ格納すべきプロファイルの光沢条件の記述を判定し、
その判定結果に基づきプロファイルの格納を制御することを特徴とする制御方法。
【請求項１７】
画像処理装置を制御して、請求項１２から請求項１６の何れかに記載された制御を実行することを特徴とするプログラム。
【請求項１８】
請求項１７に記載されたプログラムが記録されたことを特徴とする記録媒体。
【発明の詳細な説明】
【０００１】
【発明の属する技術分野】
本発明は画像処理装置および制御装置、並びに、それらの方法に関し、例えば、画像の光沢度を考慮した画像処理に関する。
【０００２】
【従来の技術】
今日、電子写真方式のプリンタやカラー複写機が出力する画像の画質は飛躍的に向上し、オフセット印刷の画質に匹敵するまでに達した。これは帯電、現像、転写、定着およびクリーニングなどの画像形成プロセスの向上、さらに、トナーの彩度方向の色再現範囲を広げた結果によるものである。
【０００３】
一方、プリンタやカラー複写機をネットワークに接続して、マルチ機能プリンタ（ＭＦＰ：　Ｍｕｌｔｉ　Ｆｕｎｃｔｉｏｎ　Ｐｒｉｎｔｅｒ）として利用する傾向が強まった。このため、ネットワークを介して、様々なデバイスからプリンタやカラー複写機へ画像が入力されるようになり、それら画像の色を合わせることは困難な状態になった。このような不都合を解決するために、様々なカラーマネージメント手法が提案されている。その一つに、デファクトスタンダードになりつつある、ＩＣＣ　（Ｉｎｔｅｒｎａｔｉｏｎａｌ　Ｃｏｌｏｒ　Ｃｏｎｓｏｒｔｉｕｍ）プロファイルを使うカラーマネージメントシステム（ＣＭＳ）がある。
【０００４】
今日、ユーザが独自にプリンタのＩＣＣプロファイルを作成して、コンピュータ機器（ＰＣ）で色変換を行った画像をプリンタに出力させる、あるいは、作成したＩＣＣプロファイルをプリンタまたはＲＩＰ　（Ｒａｓｔｅｒ　Ｉｍａｇｅ　Ｐｒｏｃｅｓｓｏｒ）にダウンロードして色を合わせを行わせることが可能になり、ユーザがプロファイルを作成するためのソフトウェアおよび測色器が市販されている。従って、ある程度の知識があるユーザであれば、目的の色にカラーマッチングさせ得る環境が整いつつある。
【０００５】
さらに、デザイナが色調整した画像を各拠点で出力するためのリモートプルーフやクラスタプリンティングなどを実現するために、ネットワークサーバに複数台の画像形成装置を接続して画像を出力する、新しい画像形成装置の使い方が普及しつつある。
【０００６】
また、画像形成装置の色変換処理は、スキャナから入力されるＲＧＢ信号をＬＯＧ変換してＣＭＹ信号にし、ＣＭＹ信号をＵＣＲ処理してＫ（黒）成分を生成し、ＣＭＹＫ信号を得るものである。スキャナのＲＧＢからプリンタのＣＭＹＫへのように、デバイスに依存する色空間同士の色変換は、コピー機など閉じられた画像形成環境では問題はないが、ＭＦＰへ入力される信号の色空間は様々であり、上記の方法では、到底、カラーマッチングはできない。そのため、ＩＣＣプロファイルの仕組みを利用して、入力信号をデバイスに依存しない色空間（例えばＣＩＥ　Ｌａｂ）に変換し、さらに、プリンタのＩＣＣプロファイルを使ってプリンタの色空間の信号に変換する方法が画像形成装置の色変換処理にも採用されるようになった。このような画像形成装置へのＩＣＣプロファイルのダウンロードは容易であり、例えば、耐久劣化に伴う色変化を最小限に抑えるため、最新のＩＣＣプロファイルが順次ダウンロードされる。
【０００７】
【発明が解決しようとする課題】
ＩＣＣプロファイルは、色情報を他のデバイスに依存する、または、デバイスに依存しない色空間に正確にマッピングするための情報が記述されているため、カラーマッチングには定評がある。しかし、出力画像の印象に影響を与えるものは色だけではない。とりわけ光沢感は色と密接な関係があり、臨場感、高級感といった形容には光沢感が影響することが多い。ＩＣＣも光沢感の重要性を認識していて、ＩＣＣプロファイルは属性情報として「光沢あり／艶なし」（ｇｌｏｓｓｙ／ｍａｔｔｅ）のおおまかな光沢情報を含むが、この情報は有効に利用されていない。
【０００８】
また、光沢紙用のＩＣＣプロファイルを選択して色変換したにもかかわらず、出力時の設定で普通紙が選ばれてしまう場合も多く、それを防止する機能、さらに、自動で記録紙を選択する機能が望まれる。
【０００９】
本発明は、上述の問題を個々にまたはまとめて解決するためのもので、プロファイルに記述された光沢情報に応じて画像形成を制御することを目的とする。
【００１０】
さらに、プロファイルに記述された光沢情報、および、画像形成に使用可能な記録紙の種類に応じて画像形成を制御することを他の目的とする。
【００１１】
また、正確な記述のプロファイルを格納することを目的とする。
【００１２】
【課題を解決するための手段】
本発明は、前記の目的を達成する一手段として、以下の構成を備える。
【００１３】
本発明にかかる画像処理装置は、デバイスに固有の色空間とデバイスに依存しない色空間との間の色変換に関する情報を記述したプロファイルに基づき色変換を行う画像処理装置であって、前記プロファイルに記述された光沢情報を取得する取得手段と、前記光沢情報と、設定された画像形成モードとの比較結果に基づき、画像形成を制御する制御手段とを有することを特徴とする。
【００１４】
また、デバイスに固有の色空間とデバイスに依存しない色空間との間の色変換に関する情報を記述したプロファイルに基づき色変換を行う画像処理装置であって、前記プロファイルに記述された光沢情報を取得する取得手段と、画像形成に使用可能な記録媒体の種類を検知する検知手段と、前記光沢情報および前記記録媒体の種類に基づき、画像形成に使用する記録媒体および画像形成モードを決定し、画像形成を制御する制御手段とを有することを特徴とする。
【００１５】
また、デバイスに固有の色空間とデバイスに依存しない色空間との間の色変換に関する情報を記述したプロファイルに基づき色変換を行う画像処理装置であって、前記デバイスに固有の色空間から前記デバイスに依存しない色空間への色変換に関するプロファイルに記述されたターゲットの光沢度情報、並びに、前記デバイスに依存しない色空間から前記デバイスに固有の色空間への色変換に関するプロファイルに記述されたディスティネーションの光沢度情報を取得する取得手段と、前記ターゲットおよびディスティネーションの光沢度情報の比較結果に基づき、画像形成に使用する記録媒体および画像形成モードを決定し、画像形成を制御する制御手段とを有することを特徴とする。
【００１６】
また、デバイスに固有の色空間とデバイスに依存しない色空間との間の色変換に関する情報を記述したプロファイルに基づき色変換を行う画像処理装置であって、前記デバイスに固有の色空間から前記デバイスに依存しない色空間への色変換に関するプロファイルに記述されたターゲットの光沢度情報を取得する取得手段と、画像形成に使用可能な記録媒体の光沢度を検出する検出手段と、前記ターゲットの光沢度情報および前記記録媒体の光沢度の比較結果に基づき、画像形成に使用する記録媒体、画像形成モードおよびディスティネーションプロファイルを決定し、画像形成を制御する制御手段とを有することを特徴とする。
【００１７】
また、デバイスに固有の色空間とデバイスに依存しない色空間との間の色変換に関する情報を記述したプロファイルに基づき色変換を行う画像処理装置であって、前記プロファイルが格納されるメモリと、前記メモリへ格納すべきプロファイルの光沢条件の記述を判定して、その判定結果に基づきプロファイルの格納を制御する制御手段とを有することを特徴とする。
【００１８】
本発明にかかる制御方法は、デバイスに固有の色空間とデバイスに依存しない色空間との間の色変換に関する情報を記述したプロファイルに基づき色変換を行う画像処理装置の制御方法であって、前記プロファイルに記述された光沢情報を取得し、前記光沢情報と、設定された画像形成モードとの比較結果に基づき、画像形成を制御することを特徴とする。
【００１９】
また、デバイスに固有の色空間とデバイスに依存しない色空間との間の色変換に関する情報を記述したプロファイルに基づき色変換を行う画像処理装置の制御方法であって、前記プロファイルに記述された光沢情報を取得し、画像形成に使用可能な記録媒体の種類を検知し、前記光沢情報および前記記録媒体の種類に基づき、画像形成に使用する記録媒体および画像形成モードを決定し、画像形成を制御することを特徴とする。
【００２０】
また、デバイスに固有の色空間とデバイスに依存しない色空間との間の色変換に関する情報を記述したプロファイルに基づき色変換を行う画像処理装置の制御方法であって、前記デバイスに固有の色空間から前記デバイスに依存しない色空間への色変換に関するプロファイルに記述されたターゲットの光沢度情報、並びに、前記デバイスに依存しない色空間から前記デバイスに固有の色空間への色変換に関するプロファイルに記述されたディスティネーションの光沢度情報を取得し、前記ターゲットおよびディスティネーションの光沢度情報の比較結果に基づき、画像形成に使用する記録媒体および画像形成モードを決定し、画像形成を制御することを特徴とする。
【００２１】
また、デバイスに固有の色空間とデバイスに依存しない色空間との間の色変換に関する情報を記述したプロファイルに基づき色変換を行う画像処理装置の制御方法であって、前記デバイスに固有の色空間から前記デバイスに依存しない色空間への色変換に関するプロファイルに記述されたターゲットの光沢度情報を取得し、画像形成に使用可能な記録媒体の光沢度を検出し、前記ターゲットの光沢度情報および前記記録媒体の光沢度の比較結果に基づき、画像形成に使用する記録媒体、画像形成モードおよびディスティネーションプロファイルを決定し、画像形成を制御することを特徴とする。
【００２２】
また、デバイスに固有の色空間とデバイスに依存しない色空間との間の色変換に関する情報を記述したプロファイルに基づき色変換を行う画像処理装置の制御方法であって、前記プロファイルが格納されるメモリへ格納すべきプロファイルの光沢条件の記述を判定し、その判定結果に基づきプロファイルの格納を制御することを特徴とする。
【００２３】
【発明の実施の形態】
以下、本発明にかかる一実施形態の画像処理を図面を参照して詳細に説明する。
【００２４】
［ＩＣＣプロファイル］
図１はＩＣＣプロファイルを用いる色変換を説明する図である。
【００２５】
ＣＭＭ　（Ｃｏｌｏｒ　Ｍａｔｃｈｉｎｇ　Ｍｏｄｕｌｅ）１０２は、入力機器１０１のＩＣＣプロファイル１０４を参照して、入力機器に依存する色空間のＲＧＢ画像データを、デバイスに依存しない色空間（ＰＣＳ：　Ｐｒｏｆｉｌｅ　Ｃｏｎｎｅｃｔｉｏｎ　Ｓｐａｃｅ）のＬａｂ（またはＸＹＺ）データへ変換して、必要に応じて色空間圧縮（ｇａｍｕｔ　ｍａｐｐｉｎｇ）を施し、さらに、出力機器１０３のＩＣＣプロファイル１０５を参照して、Ｌａｂデータを出力機器１０３に依存する色空間のＣＭＹＫデータへ変換する。勿論、逆方向の色変換も可能である。このように、ＣＭＭは、二つのデバイスに依存する色空間の間で色変換を行うためにＩＣＣプロファイルを使用する。
【００２６】
このように、ＩＣＣプロファイルは、特定のデバイスに関する色変換情報をＣＭＭ　１０２に提供する。詳述すると、ＩＣＣプロファイルは、デバイスごと（記録紙ごとの場合もある）に提供され、カラー画像データをデバイスに依存する色空間からＰＣＳへ変換し、さらに、ＰＣＳから別のデバイスに依存する色空間へ変換する際にＣＭＭ　１０２に利用される。
【００２７】
なお、図１には、スキャナなどの入力機器１０１およびプリンタなどの出力機器１０３に対応するＩＣＣプロファイル１０４および１０５を示すが、それらＩＣＣプロファイルがその機器に組み込まれているわけではない。それらＩＣＣプロファイルは、ＣＭＭが色変換するべきデータ（ＴＩＦＦなどの画像データ）に埋め込まれていてもよいし、ＣＭＭを実行するコンピュータ機器のメモリに記憶されていてもよい。さらに、ＩＣＣプロファイルは、スキャナやプリンタのほかにも、ディジタルカメラ、モニタ、カラーファクシミリ装置などの画像入出力デバイスに適用することができる。
【００２８】
ところで、ＰＣＳは、Ｄ５０標準光源、均等色空間であるＣＩＥ　ＬａｂまたはＸＹＺ色度座標が定義され、測色条件も０／４５または４５／０反射率測定が規定されている。
【００２９】
図２はＩＣＣプロファイルの構造を示す図で、ヘッダ３９およびタグテーブル４０の二つの基本要素を含む。ヘッダ３９は、ＩＣＣプロファイルに従い入力画像データを処理するために、ＣｏｌｏｒＳｙｎｃ（Ａｐｐｌｅ社の色変換エンジン）などのＣＭＭによって使用される情報を含む。
【００３０】
ＩＣＣプロファイルには、ＣＭＭがＰＣＳとデバイスに依存する色空間との間でカラー情報を変換するために必要な、一連の情報を不足なく提供するように設計されたリカードパブリックタグ（ｒｅｑｕｉｒｅｄ　ｐｕｂｌｉｃ　ｔａｇ）が含まれている。さらに、ＩＣＣプロファイルは、付加変換を行うために使用することができるオプショナルパブリックタグ（ｏｐｔｉｏｎａｌ　ｐｕｂｌｉｃ　ｔａｇ）、および、個々の開発者がそのＩＣＣプロファイルに専用の値を追加するためにカスタマイズ可能なプライベートタグを含んでよい。
【００３１】
入力データの色変換を行うには、プロファイル記述タグ、デバイスメーカタグ、デバイスモデル名タグ、メディアＸＹＺ白色点タグ（ｍｅｄｉａ　ＸＹＺ　ｗｈｉｔｅ　ｐｏｉｎｔ　ｔａｇ）、ＵＣＣＭＳプライベート情報タグ、著作権タグ、ＲＧＢそれぞれの相対ＸＹＺ三刺激値を含む色材タグ、Ｒ（赤）チャネル、Ｇ（緑）チャネルおよびＢ（青）チャネルのガンマタグなどが必要である。
【００３２】
画面表示用に色変換を行うには、プロファイル記述タグ、デバイスメーカタグ、デバイスモデル名タグ、メディアＸＹＺ白色点タグ、著作権タグ、ＲＧＢそれぞれの蛍光体などの相対値を含む色材タグ、Ｒチャネル、ＧチャネルおよびＢチャネルのガンマタグなどが必要である。
【００３３】
ハードコピー用に出力色変換を行うには、プロファイル記述タグ、デバイスメーカタグ、デバイスモデル名タグ、ＡｔｏＢ０タグ、ＢｔｏＡ０タグ、ガマットタグ（ｇａｍｕｔｔａｇ）、ＡｔｏＢ１タグ、ＢｔｏＡ１タグ、ＡｔｏＢ２タグ、ＢｔｏＡ２タグ、ＵＣＣＭＳプライベート情報タグ、ＸＹＺメディア白色点タグ、測定タグおよび著作権タグなどが必要である。
【００３４】
ＡｔｏＢｘタグは、ＩＣＣ　ｌｕｔ８Ｔｙｐｅ、または、ＩＣＣ　ｌｕｔ１６Ｔｙｐｅ構造の何れかを有する。ＩＣＣ　ｌｕｔ８Ｔｙｐｅ、または、ＩＣＣ　ｌｕｔ１６Ｔｙｐｅ構造の汎用モデルは次のとおりである。
マトリクス　→　一次元ＬＵＴ　→　多次元ＬＵＴ　→　一次元ＬＵＴ
【００３５】
タグがｌｕｔ８Ｔｙｐｅ構造の場合、入力および出力ＬＵＴ、並びに、カラーＬＵＴは８ビット符号なし値のアレイである。各入力テーブルは、１バイト整数から構成される。また、入力テーブルのエントリは、それぞれ０から２５５の範囲に適切に標準化されている。
【００３６】
出力デバイス用のＩＣＣプロファイルに含まれるＡｔｏＢｘタグは、ＣＭＹＫ色空間から他の色空間へ変換するための色変換テーブルを含み、所謂ソース（ターゲットともいう）プロファイルとして使用される。
【００３７】
一方、出力デバイス用のＢｔｏＡｘタグは色変換が逆になり、Ｌａｂ色空間からＣＭＹＫ色空間に変換するための情報を含み、主に、ディスティネーションプロファイルとして使用される際に参照される。
【００３８】
ＡｔｏＢ０およびＢｔｏＡ０のタグは、知覚的（Ｐｅｒｃｅｐｔｕａｌ）な色変換を行うためのタグで、主に、階調（グラデーション）再現を重視する写真画像に適した色変換を行う、明度保存を前提にしたカラーマッチング用である。
【００３９】
ＡｔｏＢ１およびＢｔｏＡ１のタグは、色差を最小とする色変換を行うためのタグで、出力デバイスの色再現域がターゲットのそれよりもすべての領域で広い場合、並びに、高彩度領域に画像が存在しないときなどに有効である。また、社章などのロゴマークの色再現には、色の規定が厳しいことから、このカラーマッチングが採用される。
【００４０】
ＡｔｏＢ２およびＢｔｏＡ２のタグは、彩度を保存する色変換を行うためのタグで、階調再現には向かないが、主に、ビジネスグラフィック画像のカラーマッチングに使用される。
【００４１】
ガマットタグは、一入力一出力の一次元ルックアップテーブル（ＬＵＴ）で、入力チャネル（Ｌａｂ）に対して、その出力デバイスが再現可能か否かが記述される。ＡｔｏＢ０タグと同じフォーマットを有する。
【００４２】
図３はＩＣＣプロファイルの詳細例を示す図で、ヘッダ３９およびタグテーブル４０に下記の項目が記述される。
Ｓｉｚｅ：プロファイルのサイズを定義する。
ＣＭＭ　Ｔｙｐｅ：複数のＣＭＭを組み込んだコンピュータが、どのＣＭＭをデフォルトとして使用するかを記述する。例えば「Ａｐｐｌ」または「ＡＣＭＳ」は上述したＣｏｌｏｒＳｙｎｃを、「ＫＣＭＳ」はＫｏｄａｋＣＭＳ（Ｋｏｄａｋ社の色変換エンジン）を意味する。
Ｖｅｒｓｉｏｎ：　プロファイルのバージョンを示す。
Ｐｒｏｆｉｌｅ　Ｃｌａｓ：　プロファイルの種類を定義する。パラメータは下記の何れか一つであればよい。
ｏｕｔｐｕｔ　…　プリンタなどの出力デバイス
ｉｎｐｕｔ　…　スキャナやディジタルカメラなどの入力デバイス
ｄｉｓｐｌａｙ　…　ＣＲＴや液晶などの表示デバイス
ｄｅｖｉｃｅ　ｌｉｎｋ　…　複数のプロファイルの組み合わせ構造
ｃｏｌｏｒ　ｓｐａｃｅ　ｃｏｎｖｅｒｓｉｏｎ　…　非デバイス型プロファイル間、例えばＬａｂ／ＸＹＺなどの色空間変換
ａｂｓｔｒａｃｔ　…　ＰＣＳ（Ｐｒｏｆｉｌｅ　Ｃｏｎｎｅｃｔｉｏｎ　Ｓｐａｃｅ）間でカラーデータを変換するための固有の方法
Ｃｏｌｏｒ　Ｓｐａｃｅ：プロファイルに基づきカラー画像データを変換する際のカラーフォーマットを定義し、ＲＧＢ、ＸＹＺ、ＧＲＡＹ（グレイスケール）、ＣＭＹ、Ｌｕｖ、ＨＳＶ、ＣＭＹＫ、ＹＣｂｒ、ＨＬＳ、ＬａｂおよびＹｘｙの何れか一つであればよい。
Ｃｏｎｎｅｃｔｉｏｎ　Ｓｐａｃｅ：プロファイル結合空間を定義し、ＬａｂまたはＸＹＺの何れかであればよい。
Ｃｒｅａｔｉｏｎ　Ｄａｔｅ：プロファイルの作成日時を定義する。
ＣＳ２　Ｓｉｇｎａｔｕｒｅ：プロファイルのファイルシグネチャを定義し、プロファイルを使用するデバイスのオペレーティングシステム（ＯＳ）がアイコンを作成するために使用する。
Ｐｒｉｍ　ｐｌａｔｆｏｒｍ：プロファイルが作成されたプラットフォームまたはＯＳを定義する。そのパラメータは下記の何れかであればよい。
Ａｐｐｌ　…　ＡｐｐｌｅのＯＳ
ＭＳＦＴ　…　ＭｉｃｒｏｓｏｆｔのＯＳ
ＳＧＩ　…　Ｓｉｌｉｃｏｎ　Ｇｒａｐｈｉｃｓ
ＳＵＮＷ　…　Ｓｕｎ
ＴＧＮＴ　…　Ｔａｌｉｇｅｎｔ
Ｆｌａｇｓ：ＣＭＭのためのヒント情報が含まれる。「ｅｍｂｅｄｄｅｄ／ｎｏｔ　ｅｍｂｅｄｄｅｄ」を示せば、画像ファイルなどに埋め込まれたプロファイル／独立したファイルを表し、「ｅｍｂｅｄｄｅｄ　ｏｎｌｙ／ｕｓｅ　ａｎｙｗｈｅｒｅ」を示せば、埋め込まれた状態でのみ使用可能／切り離しても使用可能を表す。
ｄｅｖｉｃｅＭａｎｕｆａｃｔｕｒｅｒ：プロファイルの作成者を記述する。
ｄｅｖｉｃｅＭｏｄｅｌ：プロファイルが使用されるべきデバイスのモデル番号または名称を定義する。なお、ｄｅｖｉｃｅＭｏｄｅｌのパラメータは、ＩＣＣ、ＡｐｐｌｅのＣｏｌｏｒＳｙｎｃおよびＭｉｃｒｏｓｏｆｔのＩＣＭの規定に準拠する必要がある。とくに、モデル番号または名称は「Ａ」から「Ｚ」までの文字（大文字のみ）および「０」から「９」の文字を使用する４バイトのＡＳＣＩＩ文字列でなければならない。
ｄｅｖｉｃｅＡｔｔｒｉｂｕｔｅｓ：プロファイル作成時の透過性や表面の光沢性を記述する。「Ｒｅｆｌｅｃｔｉｖｅ／Ｔｒａｎｓｐａｒｅｎｃｙ」（反射色／透過色）、「Ｇｌｏｓｓｙ／Ｍａｔｔｅ」（光沢あり／艶消し）などが記述される。
Ｉｎｔｅｎｔ：プロファイルの設計趣旨（ｉｎｔｅｎｔ）、つまり知覚的（ｐｅｒｃｅｐｔｕａｌ）、色差最小（ｒｅｌａｔｉｖｅ　ｃｏｌｏｒｉｍｅｔｒｉｃまたはａｂｓｏｌｕｔｅ　ｃｏｌｏｒｉｍｅｔｒｉｃ）、彩度重視（ｓａｔｕｒａｔｉｏｎ）を定義する。
Ｗｈｉｔｅ　ＸＹＺ：ＰＣＳのＸＹＺ色度値を定義し、白色ＸＹＺを正規化した値が記述される。
【００４３】
このようにヘッダ３９は、ヘッダに格納可能なすべての情報を隈なく含むリストではなく、単に、ヘッダに格納可能な情報の一例を示しているのに過ぎない。
【００４４】
タグテーブル４０は、パブリックタグおよびプライベートタグともに、タグのリストと、それらタグに関する情報とを含む。先述したように、パブリックタグは、すべてのＩＣＣプロファイルで使用することができる通常の色変換演算を定義する。タグテーブル４０で規定されるパブリックタグの一例は、３×３色変換マトリクス処理、三次元ＬＵＴ、および、三つの一次元ＬＵＴの二組を含むＡｔｏＢ２である。パブリックタグの他の例は、ＩＣＣプロファイルフォーマット文書にさらに詳細に記述されている。
【００４５】
【第１実施形態】
［構成］
図４はカラー複写機の概略構成を示す図である。
【００４６】
カラー複写機は、マゼンタ（Ｍ）、シアン（Ｃ）、イエロー（Ｙ）およびブラック（Ｋ）の各色画像を形成する四つの画像形成ステーションを備える。各画像形成ステーションの構成は略同一であるから、以下、マゼンタ用の画像形成ステーションの構成を説明して、他色の画像形成ステーションの説明は省略する。
【００４７】
画像形成ステーションは、像但持体である電子写真感光体（以下「感光ドラム」と呼ぶ）１ａの周囲に、帯電器、クリーナ４ａおよび現像器２ａなどを備える。感光ドラム１ａは回転自在に支持され、各感光ドラム１ａの下方、現像装置２ａとクリーナ４ａとの間には転写部が配置されている。転写部は、各画像形成ステーションに共通の転写ベルト３１、および、転写用帯電器３ａから構成される。
【００４８】
複数の給紙カセット６１または引き出し可能な手差給紙トレイ６１ａなどから供給される記録紙は、転写ベルト３１によって各画像形成ステーション下を搬送され、各感光ドラム上に形成された各色のトナー像が順次転写され、トナー像を重畳した画像が形成される。トナー像が重畳された記録紙Ｐは、転写ベルト３１から分離され、搬送ベルト６２によって定着部５に搬送される。
【００４９】
定着部５は、回転自在に支持された定着ローラ５１、定着ローラ５１に圧接しながら回転する加圧ローラ５２、潤滑剤塗布器５３およびローラクリーナ５４、５５などを備える。定着ローラ５１および加圧ローラ５２の内側にはそれぞれハロゲンランプなどのヒータ５６、５７が、定着ローラ５１および加圧ローラ５２の表面近傍にはサーミスタなどの温度センサ５８、５９が配置されている。従って、温度センサによって検出される定着ローラ５１および加圧ローラ５２の温度は温度調節器６０へ供給され、温度調節器６０がヒータ５６、５７へ加える電力を制御することで、定着ローラ５１および加圧ローラ５２の表面温度が調節される。
【００５０】
潤滑剤塗布器５３は、記録紙が定着ローラ５１と加圧ローラ５２との間を通過する際に、トナーが定着ローラ５１の表面に付着しないように、定着ローラ５１の表面にシリコンオイルを潤滑剤として塗布する。また、潤滑剤塗布器５３には、塗布するシリコンオイルの量を制御するための塗布量制御部６３が接続されている。
【００５１】
定着ローラ５１および加圧ローラ５２を駆動する図示しない駆動モータには、記録紙の搬送速度、すなわち定着ローラ５１および加圧ローラ５２の回転速度を制御する速度制御部６４が接続されている。
【００５２】
定着部５のこれらの構成により、記録紙の表面に重畳された各色のトナーは溶融され、記録紙に定着されて、記録紙上にフルカラー画像が形成される。フルカラー画像が定着された記録紙は、分離爪６８によって加圧ローラ５２から分離され、装置外へ排出される。
【００５３】
また、原稿読取部７は、原稿台に載置された原稿を光学的に走査して原稿の画像を読み取り、ＲＧＢ各色の画像信号を出力する。ＬＣＤなどのディスプレイおよび１０キーなどを有する操作部３００は、カラー複写機の設定やコマンド入力、カラー複写機の設定および動作状態の表示などに使用される。
【００５４】
［画像処理部］
図５はカラー複写機内の色変換部（画像処理部の一部）の構成例を示すブロック図である。なお、色変換部の処理は、インタフェイス（Ｉ／Ｆ）２０２から入力される信号の種類に応じて異なるので、信号の種類ごとに説明する。
【００５５】
ＲＧＢ信号が入力された場合は、入力プロファイル格納部２０１に格納された入力デバイスのＩＣＣプロファイルが参照される。入力プロファイル格納部２０１には、ｓＲＧＢ、Ａｐｐｌｅ　ＲＧＢ、ＣＩＥ　ＲＧＢ、ＮＴＳＣ（１９５３）などのターゲットの入力ＩＣＣプロファイルが格納されている。ＣＭＭ　２０２は、これら入力プロファイルからユーザが指定するプロファイルを用いて、入力されたＲＧＢ信号をＬａｂ信号に変換する。
【００５６】
Ｌａｂ信号が入力された場合、ＣＭＭ　２０２は、出力プロファイル格納部２０３に格納された所定のモードに対応する出力プロファイルを参照して、Ｌａｂ信号をＣＭＹＫ信号に変換する。変換後のＣＭＹＫ信号はプリンタ部２０４へ送られる。
【００５７】
デバイスのＩＣＣプロファイルを作成する以外にＣＭＹＫ信号が入力された場合は、ターゲットプロファイル格納部２０５に格納されたターゲットのＩＣＣプロファイルが参照される。ターゲットプロファイル格納部２０５には、ＳＷＯＰ　Ｃｏａｔｅｄ、ＥＵＲＯ　Ｓｔａｎｄａｒｄ、ＤＩＣ（大日本インキ）、ＴＯＹＯ（東洋インキ）、Ｊａｐａｎ　Ｃｏｌｏｒ、各種カスタムＤＤＣＰなどのターゲットのプロファイルが格納されている。ＣＭＭ　２０２は、これらプロファイルからユーザが指定するプロファイルを用いて、入力されたＣＭＹＫ信号をＬａｂ信号に変換する。
【００５８】
プリンタの色再現特性を把握してＩＣＣプロファイルを作成するための、または、コンピュータ機器で色変換済み、などのＣＭＹＫ信号が入力された場合は、さらに色変換する意味がないため、色変換処理をバイパスして、プリンタ部２０４へＣＭＹＫ信号をそのまま送る。
【００５９】
なお、現像剤の劣化、定着ローラ５１の劣化など、耐久劣化（経時変化）に起因する色の変化を考慮して、各プロファイル格納部には、ＩＣＣプロファイルを適時ダウンロードすることが可能である。
【００６０】
また、画像処理部の光沢条件比較部２０６、および、プリンタ部２０４の紙種検知部２０７は後述する光沢モードで利用される。
【００６１】
［制御］
図５に示すＣＰＵ　２１０は、ＲＯＭ　２１１に格納された制御プログラムに従い、ＲＡＭ　２１２をワークメモリに使用して、カラー複写機全体の制御を司る。さらに、後述する光沢モード用のＩＣＣプロファイルの記述が正確か、指定されたＩＣＣプロファイルの光沢条件に対応する画像形成を行うために、記録紙が給紙カセット６１などに収納されているか、などを判定する。そして、ＣＰＵ　２１０は、もし光沢条件に対応する記録紙がない場合は、エラーを操作部３００に表示したり、代替手段として定着条件を変更するなどの制御を実行する。
【００６２】
［ＩＣＣプロファイルの判定］
プリンタの初期状態におけるＩＣＣプロファイルは、デバイスメーカから提供される。ただしデバイスメーカが提供するプロファイルは、標準的な色変換情報であり、必ずしも、所有デバイスが標準的な特性とは限らない。そのため、カラーマッチングを重視する例えばデザイン業や印刷業などのユーザは、市販のＩＣＣプロファイル作成ソフトウェアや、デバイスメーカやソフトウェアメーカが提供するＩＣＣプロファイル作成サービスなどを利用して、より正確なカラーマッチングを得ようとする。本実施形態のカラー複写機もそのようなユーザを考慮して、ユーザが用意したＩＣＣプロファイルを各プロファイル格納部へダウンロード可能である。
【００６３】
本実施形態のカラー複写機には、画像出力モードとして、通常モードおよび光沢モードの二つが用意されている。光沢モードは、出力画像の光沢感を向上するために、定着条件および記録紙の条件を設定した画像形成モードである。画像の光沢が変化すれば色も変化するため、出力プロファイル格納部２０３には、各モードに対応するＩＣＣプロファイルが格納される。従って、ＩＣＣプロファイルを出力プロファイル格納部２０３にダウンロードする際は、各モードに対応するＩＣＣプロファイルをダウンロードしなければならない。とくに、上質紙に形成したカラーパッチに基づき作成されたＩＣＣプロファイルを、光沢モード用のＩＣＣプロファイルとしてダウンロードすれば、光沢モードの効果が発揮されない。
【００６４】
図６はＩＣＣプロファイルの判定処理を示すフローチャートで、出力プロファイル格納部２０３へＩＣＣプロファイルがダウンロードされる場合に、ＣＰＵ　２１０が実行する処理である。
【００６５】
ＣＰＵ　２１０は、光沢モード用のＩＣＣプロファイルのダウンロードが指示された場合、そのＩＣＣプロファイルの属性情報（Ａｔｔｒｉｂｕｔｅｓ）を参照して、光沢条件が「光沢あり」（Ｇｌｏｓｓｙ）と記述されているか否かを確認し（Ｓ１）、「光沢あり」であればダウンロードされたＩＣＣプロファイルを出力プロファイル格納部２０３に登録する（Ｓ２）。一方、「艶なし」（Ｍａｔｔｅ）であれば「登録できない」旨のエラーメッセージを操作部３００に表示し、登録作業を中止する（Ｓ３）。
【００６６】
さらに、光沢条件に関する何れの記述もない場合は、ユーザに確認するために、「このＩＣＣプロファイルは光沢紙を用いて作成しましたか？」の旨を示すメッセージを操作部３００に表示し（Ｓ４）、ユーザの応答を待つ（Ｓ５）。ユーザの応答がＹＥＳを示す場合は、そのプロファイルの光沢条件に「光沢あり」を記述して（Ｓ６）、出力プロファイル格納部２０３に登録する（Ｓ２）。また、ＮＯを示す場合はダウンロードされたプロファイルを破棄し、登録作業を中止する（Ｓ７）。
【００６７】
なお、コンピュータ機器からネットワークを介してプロファイルがダウンロードされる場合は、ネットワークを介して、そのコンピュータ機器にエラーや問い合わせを送信し、そのコンピュータ機器からの応答を待つことは言うまでもない。
【００６８】
［光沢制御］
特開平２−１３２４８１号公報は、紙種、とくに紙の厚さ情報を給紙部より取得して、その紙種情報に基づき、定着温度および圧力、または、紙の搬送速度を制御する技術を開示し、そのような構成によって定着不良や熱源容量の問題を解決する発明である。また、紙種の検知方法には、特開平７−２３４６１０号公報に開示された記録紙濃度による方法、もしくは、特開平９−１１４２６７号公報に開示された分光反射率による方法、特開平１０−１９８０９３号公報に開示された正反射光と乱反射光を利用する方法などがある。
【００６９】
さらに、特開平７−１９１５１０号公報には、紙種（紙厚）情報用のセンサを備えず、ユーザが紙種情報を操作部から入力する方法が提案されている。この方法は画像形成装置において、現在、主流である。本実施形態のカラー複写機も、紙厚に関する情報提供は、ユーザが操作部３００を操作して入力するのが基本である。なお、紙重量は、記録紙を包装するパッケージに記されていて、ユーザが、プリンタドライバや操作部３００を介して紙重量を指示することは容易であるから、紙厚や紙重量を検出するためのセンサを削除して、その分、コストを低減することが好ましい。勿論、そのようなセンサを搭載して紙厚や紙重量を検出してもよい。
【００７０】
紙厚に基づく定着制御は、未定着画像や、トナー像が記録紙から剥がれて定着ローラに付着する所謂高温オフセットの防止には充分に効果的である。
【００７１】
一方、定着速度、圧力、オイル塗布量などを可変にして、光沢度の制御（グロス制御）方法が特開平９−１６０３１５号公報などに開示されている。しかし、図７に示すように、濃度に対する光沢度の変化が発生する。言い換えれば、定着器５に関する制御だけでは、面積階調を採用する電子写真方式の場合、充分にトナーが載っている高濃度領域の光沢度を上げることはできても、ハイライト領域から中間調領域の光沢度は記録紙の光沢特性の影響を受ける。そのため、上質紙のような表面の粗い記録紙は図７に示すような光沢度特性を示すことになる。このような光沢度特性を避けるには、コート紙など、その表面が粗くない記録紙を使うことが最も効率的かつ効果的である。
【００７２】
そこで、本実施形態では、光沢モードに見合う記録紙が給紙カセット６１に収容されているか否かを判別するために、給紙部に図８に示すような光沢度センサ１６を設置し、紙種検知部２０７によって光沢度センサ１６の出力を光沢度を示す情報に変換して光沢条件比較部２０６に送り、光沢モードが実行可能か、また、どの給紙カセット６１に収容された記録紙を使用するかを判断する。
【００７３】
［紙種検知］
図９は光沢度センサ１６の配置を説明する図である。
【００７４】
光沢度センサ１６および紙種検知部２０７は、ＪＩＳ　Ｚ　８７４１に規定された方法によって、光沢度を測定する。つまり、給紙カセット６１に収容された記録紙に対し、規定の入射角かつ規定の開き角の光束を入射し、鏡面反射方向に反射する規定の開き角の光束を受光器で計測するものである。
【００７５】
図８において、光源１０８から照射される光束は、レンズ１１０を通り、記録紙Ｐに角度θで入射する。そして、鏡面反射方向に反射した光束は、レンズ１１０を通り、受光器１０９に入射する。そして、紙種検知部２０７は、受光器１０９の出力信号から記録紙Ｐの光沢度を得る。このような光沢度センサ１６を各給紙カセット６１に配置することで、記録紙表面の光沢度を検出することができる。なお、本実施形態では、入射角θを６０度として光沢度を検出する。
【００７６】
光沢度センサ１６は、図９に示すように、給紙カセット６１に収容された最上部の記録紙表面を測定するように設置し、記録紙の収容量が変化しても、追従できるような仕組みにする。さらに、給紙カセット６１の底面には、光沢度センサ６１のキャリブレーションを行うために、屈折率１．５６７のガラス板（キャリブレーション（ＣＡＬ）板１７）を貼り、このガラス面に光束を照射して、ガラス面からの鏡面（正）反射光量を基準値（光沢度１００）とする。キャリブレーションの実施タイミングは、給紙カセット６１に収容された記録紙がなくなったときである。
【００７７】
［プリント制御］
図１０はＣＰＵ　２１０によるプリント制御を説明するフローチャートである。
【００７８】
プリントを指示されると、ＣＰＵ　２１０は、ターゲットとなるプロファイルの光沢情報の記述が「光沢あり」か「艶消し」かを判定する（Ｓ１１）。「艶消し」の場合は画像形成モードを通常モードに設定し、画像処理部に色変換を行わせ、変換後の画像信号をプリンタ部２０４に送って画像を形成させる（Ｓ１２）。
【００７９】
一方、「光沢あり」の場合は、給紙カセット６１に光沢紙が収容されているか否かを判断する（Ｓ１３）。なお、光沢度センサ１６の出力信号が光沢度３０以上を示す場合、光沢紙が給紙カセット６１に収容されていると判断することにする。Ｇｌｏｓｓｙ／Ｍａｔｔｅの境は明確ではなく、また、光沢度計の入反射角によっても光沢度は変動する。上記の閾値「３０」は、発明者らが行ったコート紙と呼ばれる記録紙の光沢度を光沢度センサ１６で測定した結果に基づくものである。
【００８０】
給紙カセット６１に光沢紙が収容されている場合は、画像形成モードを光沢モードに設定して、画像処理部に光沢モード用の色変換を行わせ、変換後の画像信号をプリンタ部２０４に送って画像を形成させる（Ｓ１４）。
【００８１】
一方、給紙カセット６１に光沢紙が収容されていない場合は、操作部３００（またはコンピュータ機器）に光沢紙がないので光沢紙の供給を要求する旨のメッセージおよび「給紙後続行／続行／中止」を問う旨のメッセージを表示（送信）し（Ｓ１５）、ユーザの応答を待つ（Ｓ１６）。
【００８２】
ユーザが「給紙後続行」を選択し（Ｓ１６）、ＣＰＵ　２１０は、給紙カセット６１の出し入れなどを検出すると（Ｓ１７）、記録紙が給紙されたと判断して処理をステップＳ１３へ戻す。
【００８３】
ユーザが「続行」を選択すると（Ｓ１６）、ＣＰＵ　２１０は、光沢度が最も高い記録紙が収容されている給紙カセットを選択し（Ｓ１８）、画像処理部に光沢モード用の色変換を行わせ、変換後の画像信号をプリンタ部２０４に送り、通常よりも光沢感が向上する定着条件で画像を形成させる（Ｓ１９）。
【００８４】
また、ユーザが「中止」を選択すると（Ｓ１６）、画像形成を中止する（Ｓ２０）。
【００８５】
［定着制御］
定着制御は、操作部３００などから指定された紙重量が大前提になる。図１１は紙重量に応じた定着速度の例を示す図である。
【００８６】
図１２はモード別の定着制御を示す図である。
【００８７】
［光沢モードの選択］
ユーザによる光沢モードの選択だけでなく、以下の条件で光沢モードを選択してもよい。
・ターゲットプロファイルに「光沢あり」（Ｇｌｏｓｓｙ）が記述されている
・艶消し（ｍａｔｔｅ）紙が存在しない
【００８８】
条件「ターゲットプロファイルに『光沢あり』が記述されている」は、ターゲットプロファイルの属性タグを参照して、光沢度モードで画像形成すか否かを判断する。つまり、ターゲットプロファイルの属性タグに「光沢あり」が記述されている場合は、光沢モードを設定（画像出力時の定着条件、紙種、光沢モード用ディスティネーションＩＣＣプロファイルの選択）し、画像を形成する。
【００８９】
条件「艶消し紙が存在しない」は、上質紙（ｍａｔｔｅ紙）などが存在しない、標準的ではない状態で、光沢紙に通常の定着条件で画像を形成した場合、トナーの溶融度合いが低く、画像のベースに光沢感があり、トナーが載っているところは光沢感が低いという、違和感のある出力画像にとなってしまう。このような画像は、とくに人物画像で嫌われ、肌色などの画像比率が少ない部分で光沢感が高く、髪の毛、服などの画像比率が高い部分で光沢感が低い画像になる、つまり、写真や印刷物には到底及ばない低品位の画像になってしまう。このような低品位画像を出力しないために、光沢紙しかない場合に、光沢モードで画像形成するものである。
【００９０】
このように、本実施形態は、色変換用のプロファイルをダウンロード可能で、ダウンロードされたプロファイルが光沢モード用か否かを判定し、その判定に応じてダウンロードされたプロファイルの登録（格納）を制御する。さらに、光沢モードによる画像形成が指示された場合、光沢紙があるか否かを判定して、その判定に応じて画像形成を制御する。
【００９１】
さらに、光沢モードにおいては、ターゲットプロファイルの光沢条件を参照して、ターゲット出力環境に近いグロス条件になるように光沢モードを設定する構成であり、グロスマッチングが可能である。
【００９２】
さらに、ターゲットプロファイルに「光沢あり」が記述されている、艶消し紙が存在しない、などの条件で光沢モードによる画像形成を実行することができる。
【００９３】
【第２実施形態】
以下、本発明にかかる第２実施形態の画像処理を説明する。なお、本実施形態において、第１実施形態と略同様の構成については、同一符号を付して、その詳細説明を省略する。
【００９４】
第２実施形態は、ＩＣＣプロファイルのプライベートタグに、より正確なグロスマッチングを実現する情報を画像形成装置に組み込む例を説明する。
【００９５】
ＩＣＣプロファイルは、一般的なＣＭＭがカラーマッチングに必要とするパブリックタグ、付加変換を行うために使用するオプショナルパブリックタグ、および、カスタムＣＭＭで使用するプライベートタグを含んでいてもよい。このプライベートタグに光沢度情報を含めることができる。つまり、属性タグの光沢情報であるＧｌｏｓｓｙ／Ｍａｔｔｅの二水準だけでなく、光沢度情報が記述するため、紙種検知部２０７によって得られる光沢度情報、および、プライベートタグに含まれる光沢度情報を使用して、より忠実な、ユーザが所望する光沢感の出力画像を提供する環境を整えることができる。
【００９６】
以下はプライベートタグに含める光沢度情報である。
ａｖｅ＿Ｇ　ｔａｇ：Ｃ、Ｍ、Ｙ、Ｂｋ、Ｒ、Ｇ、Ｂおよび３Ｋの平均光沢度
Ｓｉｇ＿Ｇ　ｔａｂｌｅ　ｔａｇ：信号和（０〜３００％）対光沢度（０〜１００）
ｗｈｉｔｅ＿Ｇ　ｔａｇ：メディア光沢度（各画像信号が０％のパッチの光沢度）
ここで、信号和とは各色成分信号の合計である
【００９７】
第１実施形態で属性タグを参照する構成を、上記のプライベートタグ内のｗｈｉｔｅ＿Ｇ　ｔａｇを参照する構成に変更することで、より精度の高いグロスマッチングを行うができる。さらに、ターゲットプロファイルとディスティネーションプロファイルとを記録紙の光沢度別に登録（格納）しておくことで、記録紙の光沢度を高精度に選択することができ、より忠実なグロスマッチングが可能になる。
【００９８】
［グロスマッチング］
図１３はグロスマッチングを説明するフローチャートで、ＣＰＵ　２１０によって実行される処理である。なお、代表的なＣＭＹＫデータが入力された場合を想定して説明する。
【００９９】
ユーザに指示されたターゲットになるプロファイルのプライベートタグから、そのプロファイルが作成された際に使用された記録紙の光沢度情報（Ｗｈｉｔｅ＿Ｇ　ｔａｇ）を読み出し（Ｓ３１）、給紙カセット６１に収容されている記録紙の光沢度情報を検出する（Ｓ３２）。そしてプロファイルに記述された光沢度情報、および、検出した記録紙の光沢度情報に基づき、光沢度の差ΔＧを算出し（Ｓ３３）、ΔＧが最小の記録紙が収容された記録紙カセット６１を選択する（Ｓ３４）。そして、その記録紙に対応するディスティネーションプロファイルを参照して色変換し（Ｓ３５）、その後、選択した記録紙の定着条件に基づき定着制御を行い、ユーザが所望する光沢感をもつ出力画像になるように画像形成する（Ｓ３５）。
【０１００】
なお、本実施形態のカラー複写機の仕組みを理解して、給紙部には複数種の記録紙を収容しておくことが望ましい。また、ターゲットとの光沢度の差ΔＧが２０以上の場合はエラー表示を行うようにして、第１実施形態と同様に、他の記録紙を供給するか、そのまま画像形成を続行するか、画像形成を中止するかをユーザに選択させてもよい。
【０１０１】
【変形例】
光沢感がほどほどにあっていればよいユーザには、各給紙カセット６１に対応して設置される光沢度センサ１６は装置のコストを上昇させるだけである。そこで、第１実施形態における紙種検知部２０７および光沢度センサ１６を削除して、ユーザが紙重量を入力する際に「光沢紙」か「普通紙」かを選択させるようにすれば、コストを低減することが可能である。
【０１０２】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【０１０３】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１０４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１０５】
本発明を上記記憶媒体に適用する場合、その記憶媒体には、先に説明したフローチャートに対応するプログラムコードが格納されることになる。
【０１０６】
【発明の効果】
以上説明したように、本発明によれば、プロファイルに記述された光沢情報に応じて画像形成を制御することができる。
【０１０７】
さらに、プロファイルに記述された光沢情報、および、画像形成に使用可能な記録紙の種類に応じて画像形成を制御することができる。
【０１０８】
また、正確な記述のプロファイルを格納することができる。
【図面の簡単な説明】
【図１】ＩＣＣプロファイルを用いる色変換を説明する図、
【図２】ＩＣＣプロファイルの構造を示す図、
【図３】ＩＣＣプロファイルの詳細例を示す図、
【図４】カラー複写機の概略構成を示す図、
【図５】カラー複写機内の色変換部（画像処理部の一部）の構成例を示すブロック図、
【図６】ＩＣＣプロファイルの判定処理を示すフローチャート、
【図７】濃度に対する光沢度の変化を説明する図、
【図８】光沢度センサの構成例を示す図、
【図９】光沢度センサ１６の配置を説明する図、
【図１０】光沢モードにおけるプリントを説明するフローチャート、
【図１１】紙重量に応じた定着速度の例を示す図、
【図１２】モード別の定着制御を示す図、
【図１３】グロスマッチングを説明するフローチャートである。
【図１】
2004037525.tif 000003
【図２】
2004037525.tif 000004
【図３】
2004037525.tif 000005
【図４】
2004037525.tif 000006
【図５】
2004037525.tif 000007
【図６】
2004037525.tif 000008
【図７】
2004037525.tif 000009
【図８】
2004037525.tif 000010
【図９】
2004037525.tif 000011
【図１０】
2004037525.tif 000012
【図１１】
2004037525.tif 000013
【図１２】
2004037525.tif 000014
【図１３】
2004037525.tif 000015